(57)【要約】【課題】ねじ締め込み時に作用する回動トルクの吸収力がビット部よりも高いリブ部を中央部に設けてビット部の破損を防止し耐久性の向上を図ると共にプレス成形によって製作可能なスリム形状のリブ付トーションビットを提供する。【解決手段】スリム形状のリブ付トーションビット１００の角状部１の中央側には一本のリブ部５が形成される。このリブ部５は角状部１の相対向するフラット面６，６間に架設されるものからなり、角状部１のフラット面６側からプレス成形により形成される。このためリブ部５の形成が容易に、かつ安定的にできる。【選択図】図１
0003118978.tif 000002
【実用新案登録請求の範囲】
【請求項１】
横断面が偶数角状に形成される角状部を中央側に形成すると共に前記角状部の両端側に角状部より小径の軸部を連設し、該軸部の先端にビット部を形成してなるスリム形状のトーションビットであって、該トーションビットは、前記角状部の中央側に一本のリブ部を形成するものからなり、前記リブ部は前記角状部の相対向するフラット面間に架設して形成されるものからなり、前記リブ部と残りの前記角状部とは弧状面で連設されることを特徴とするスリム形状のリブ付トーションビット。
【請求項２】
前記リブ部は、前記角状部をその鋭角側からプレスにより押圧，切削して形成されるものからなることを特徴とするスリム形状のリブ付トーションビット。
【請求項３】
前記リブ部は、その回動トルク吸収力が、前記ビット部よりも高く形成されることを特徴とする請求項１に記載のスリム形状のリブ付トーションビット。
【考案の詳細な説明】
【技術分野】
【０００１】
本考案は、電動回動具などの回動工具に挿着されてねじ等の締め込みや取り外しに使用されるトーションビットに係り、特に、スリム形状のビット部の回動トルク吸収力よりも高い回動トルク吸収力を有するリブ部が中央側に一本形成され、前記リブ部がプレスの押圧力により容易に形成されるスリム形状のリブ付トーションビットに関する。
【背景技術】
【０００２】
ねじの締め込みには従来よりトーションビット使用されているが、ねじの締め作業時においてビット部がまず破損し、全体として使用できなくなる問題点がある。この対応策として「特許文献１」が提案されている。
【特許文献１】実用新案登録第２５３２７２８号（図２）
【考案の開示】
【考案が解決しようとする課題】
【０００３】
「特許文献１」の「実用新案登録第２５３２７２８号」の「回転工具用ビット」は中央部に径小部を設けたものであり、ビット部に回転トルクが作用した場合に、この径小部がまず変形し回動トルクを吸収してビット部の破損を防止するようにしたものである。しかしながら、この「回転工具用ビット」の寸法設定が難しく、回動トルク吸収力を高くするとその捩れ強度が弱くなり、折損が生ずる場合があり、そのバランスをとることが難しい問題点がある。
【０００４】
以上の問題点を解決する１つの手段として図８乃至図１１に示す従来技術がある。このものは「意匠登録番号９３６５７４号」に示されているもので公知技術である。即ち、この「動力ドライバ用ビット」は図示のように六角状の横断面を有する角状体１の先端側にビット部４ａを形成すると共にその中央部にリブ部５ａを形成したものからなる。このリブ部５ａは、図１０に示すように六角状の角状体１の相対向する鋭角部８，８間に架設されて形成されるものからなる。
【０００５】
このリブ部５ａの形成により「特許文献１」に示した「回転工具用ビット」の問題点は解決されるが、このリブ部５ａを例えば図１１に示すようにプレスの上型９及び下型９ａの押圧と切削により成形しようとすると、角状部１の鋭角部８に無理な力が生じ、割れ等が発生し易くなる不具合が生ずると共に、この鋭角部８とプレス加工されない角状部１の鋭角部８やフラット面６との弧状連設が円滑に行かず、結果としてリブ部５ａ自体を安定成形することができない問題点がある。従って、このリブ部５ａは機械加工により製作するしかなく、加工コストが高くなり、生産性が低下する問題点がある。
【０００６】
本考案は、以上の事情に鑑みて考案されたものであり、使用時において回動トルクを吸収してビット部の破損を防止しすると共に、プレス加工により安定製作でき、安価に形成されるスリム形状のリブ付トーションビットを提供することを目的とする。
【課題を解決するための手段】
【０００７】
本考案は、以上の目的を達成するために、請求項１の考案は、横断面が偶数角状に形成される角状部を中央側に形成すると共に前記角状部の両端側に角状部より小径の軸部を連設し、該軸部の先端にビット部を形成してなるスリム形状のトーションビットであって、該トーションビットは、前記角状部の中央側に一本のリブ部を形成するものからなり、前記リブ部は前記角状部の相対向するフラット面間に架設して形成されるものからなり、前記リブ部と残りの前記角状部とは弧状面で連設されることを特徴とする。
【０００８】
また、請求項２の考案は、前記リブ部は、前記角状部をその鋭角側からプレスにより押圧，切削して形成されるものからなることを特徴とする。
【０００９】
また、請求項３の考案は、前記リブ部は、その回動トルク吸収力が、前記ビット部よりも高く形成されることを特徴とする。
【考案の効果】
【００１０】
本考案の請求項１のスリム形状のリブ付トーションビットによれば、ビット部がスリム形状からなるトーションビットの角状部に一本のビット部が形成され、このビット部が角状部のフラット面間に形成され、かつ残りの角状部と円滑な弧状面で連設されるため、ねじ締め作業において回動力を大きく吸収し、ビット部への回動力の負担を低減することができる。
【００１１】
また、請求項２のスリム形状のリブ付トーションビットによれば、ビット部が相対向するフラット面間に架設されるものからなり、角状部の鋭角部側からのプレス押圧と切削により簡単に、かつ安定的に形成されることができる。
【００１２】
また、請求項３のスリム形状のリブ付トーションビットによれば、このリブ部の回動トルク吸収力をビット部より高くするため、ビット部の破損を防止することができ、作業の安定性と耐久性の向上が図れる。
【考案を実施するための最良の形態】
【００１３】
図１及び図２は本考案のスリム形状のリブ付トーションビット１００の全体構造を示すものである。即ち、スリム形状のリブ付トーションビット１００は、その中央部に形成される角状部（本実施の形態では六角断面状のもの）１とその両側に凹設される連設部２と、角状部１の両端から伸延する軸部３及び軸部３の先端側に形成されるビット部４等とからなる。この角状部１の中央部には本考案の主要部であるリブ部５が形成される。なお、本考案のスリム形状のリブ付トーションビット１００はスリムタイプのものであり、軸部３は角状部に較べて細いものからなる。
【００１４】
図３は図１の上面図であり、図４は図３のＡ−Ａ断面図であり、図５は図３のＢ−Ｂ拡大断面図である。図３乃至図５に示すように、ビット部５は一本のビットからなり、角状部１をつぶした形状のものからなるが、図５は明示するように角状部１のフラット面６，６間に架設されるものからなる。また、図４に示すように、ビット部５はつぶされていない残りの角状部１とは円滑な弧状面７，７により連設されるものからなる。また、このリブ部５の形状としては軸部３及びリブ部の回動力吸収力よりも高い回動力吸収力を有するものからなり、その厚み寸法等は以上の機能を有するように形成される。
【００１５】
図６及び図７は、本考案のリブ付トーションビット１００のリブ部５の製造方法を示すものである。このリブ部は図示のようにプレスの上型９及び下型９ａによる押圧，切削により成形されるものからなり、具体的には、角状部１のフラット面６側から上型９を当てて角状部１を変形させて形成される。上型９をフラット面６側に当てて押圧することにより角状部１の変形が円滑に行われ、ビット部５の成形が容易にできると共にビット部５と残りの角状部１とは円滑な弧状面７で連設されることができる。結果として安定したリブ部５の成形が可能になる。
【産業上の利用可能性】
【００１６】
本考案は、スリム形状のトーションビットに適用される場合について説明し、角状部も六角状のものを採用したが、その他の形状のトーションビットに対しても適用され、その利用範囲は広い。
【図面の簡単な説明】
【００１７】
【図１】本考案の全体構造を示す平面図。
【図２】図１の左右側面図。
【図３】図１の上面図。
【図４】図３のＡ−Ａ線断面図。
【図５】図３のＢ−Ｂ線拡大断面図。
【図６】本考案のスリム形状のリブ付トーションビットのビット部の成形方法を示す模式図。
【図７】本考案のスリム形状のリブ付トーションビットのビット部の成形方法を示す模式図。
【図８】従来のリブ部付きのトーションビットを示す平面図。
【図９】図８のＣ−Ｃ線断面図。
【図１０】図８のＤ−Ｄ線断面図。
【図１１】従来のリブ付きのトーションビットのビット部の成形による形成時の問題点を説明するための模式図。
【符号の説明】
【００１８】
１      角状部
２      連設部
３      軸部
４      ビット部
５      リブ部
６      フラット面
７      弧状面
８      鋭角部
９      上型
９ａ    下型
１００  スリム形状のリブ付トーションビット
【図１】
0003118978.tif 000003
【図２】
0003118978.tif 000004
【図３】
0003118978.tif 000005
【図４】
0003118978.tif 000006
【図５】
0003118978.tif 000007
【図６】
0003118978.tif 000008
【図７】
0003118978.tif 000009
【図８】
0003118978.tif 000010
【図９】
0003118978.tif 000011
【図１０】
0003118978.tif 000012
【図１１】
0003118978.tif 000013
【手続補正書】
【提出日】平成17年8月19日(2005.8.19)
【手続補正１】
【補正対象書類名】実用新案登録請求の範囲
【補正対象項目名】請求項２
【補正方法】変更
【補正の内容】
【請求項２】
前記リブ部は、前記角状部をその鋭角側からプレスにより押圧，切削して形成されるものからなることを特徴とする請求項１に記載のスリム形状のリブ付トーションビット。